(57)【要約】【課題】平板部の平面に沿った複数方向のそれぞれにおける強度を向上させて、方向によって強度的に偏りが発生してしまうことを防止することができるフリーアクセスフロア用パネル部材を提供する。【解決手段】フリーアクセスフロアの床面を形成する平板部１０を備え、平板部１０に凹状の断面形状を有して直線状に伸びるリブ２２，２４を形成し、リブ２２，２４は、互いに略平行に伸びて形成される複数の第１リブ２２と、第１リブ２２と略直角の方向に伸び互いに略平行に形成される複数の第２リブ２４により形成されるようにした。【効果】平板部の平面に沿った複数方向のそれぞれにおける強度を向上させて、方向によって強度的に偏りが発生してしまうことを防止することができる。【選択図】図１
2008223383.tif 000002
【特許請求の範囲】
【請求項１】
フリーアクセスフロアの床面を形成する平板部を備え、
前記平板部に凹状の断面形状を有して直線状に伸びるリブを形成し、
前記リブは、互いに略平行に伸びて形成される複数の第１リブと、前記第１リブと略直角の方向に伸び互いに略平行に形成される複数の第２リブにより形成される
ことを特徴とするフリーアクセスフロア用パネル部材。
【請求項２】
前記複数の第１リブのうちのいずれか又は全部と、前記複数の第２リブのうちのいずれか又は全部が互いに突き抜けるように交差する
ことを特徴とする請求項１に記載のフリーアクセスフロア用パネル部材。
【請求項３】
前記第１リブと前記第２リブの少なくとも一方が、前記平板部の外周のどの辺とも平行でない
ことを特徴とする請求項１又は２に記載のフリーアクセスフロア用パネル部材。
【発明の詳細な説明】
【技術分野】
【０００１】
本発明は、クリーンルームやオフィスルーム等に敷設されてその床面を形成する、フリーアクセスフロアのパネル部材に関するものである。
【背景技術】
【０００２】
図７は、従来のフリーアクセスフロア用パネル部材４（以下、「パネル部材４」という）が、水平面上の互いに直交する２方向に並べて配置されることにより、フリーアクセスフロア２の床面を形成した状態を示す平面図である。パネル部材４は、その各隅部が下側から支持台６に支持されるようになっている。
【０００３】
各支持台６は、図８に示すように、その上端面６ａ上に開口するよう形成された４本の溝部８を有している。これら４本の溝部８は、その中の２本が、水平面の上端面６ａ上の一方向に伸びるよう互いに平行に一定間隔で並んで配置され、この２本と直角に交差する他方向に、他の２本が互いに平行に一定間隔で並んで配置されている。これら４本の溝部８のそれぞれは、互いに平行に並んで配置される２本の組合せ同士が、互いの長さ方向の中央部において交差している。
【０００４】
また、従来のパネル部材４は、図９及び図１０に示すように、その平面形状が略正方形であって、フリーアクセスフロア２の床面に平行に配置される平板部１０と、この平板部１０の四辺のそれぞれに、支持台６側（図９中、紙面に垂直の奥側）に一定高さを有するよう折曲げて形成される側板部１２とを有している。
【０００５】
各パネル部材４は、図７に示すように、その平板部１０の各隅部が対応する各支持台６の上端面６ａ上に載置されて支持されると共に、各側板部１２の両端部のそれぞれが、対応する支持台６の溝部８に嵌合するようになっている。
【０００６】
また、パネル部材４は、図９及び図１０に示すように、その平板部１０に、プレス絞り加工により形成された２本のリブ１４を有している。この２本のリブ１４は、平板部１０に沿ってその一方向（図９中横方向）に直線状に伸びるように形成されており、互いに略平行となるように形成されている。
【０００７】
そして、このリブ１４のそれぞれは、支持台６側（図９中、紙面に垂直の奥側）に一定高さを有しており、図１０に示すように、その長さ方向に直角の断面において略半円形である溝を有するように、支持台６と同じ側に膨出して形成されている。
【０００８】
パネル部材４は、このような２本のリブ１４が平板部１０に形成されていることにより、図７に示すように、このパネル部材４がフリーアクセスフロア２の床面として機能する際に、床面としての平板部１０に加わる荷重に対して、強度が向上するようになっていた。
【０００９】
また、各パネル部材４の平板部１０内においては、リブ１４がその長さ方向に応力を分散させるように作用するので、各パネル部材４の上方から加わる荷重により発生する応力の大きさは、各パネル部材４ごとにそのリブ１４の長さ方向にほぼ連続して滑らかに変化するように分布するようになり、局所的な変形が抑制されるようになっていた。
【００１０】
図１１は、上記従来のパネル部材４とは異なる、別の従来のパネル部材１６を示す平面図である。同図に示すように、この従来のパネル部材１６は、その平板部１８の平面形状が略長方形となるように形成されていて、その縦辺が横辺の長さのほぼ２倍の長さを有するように形成されている。このようなパネル部材１６においても、その平板部１８に、上記従来のパネル部材４のリブ１４と同様のリブ１４を形成して、強度を向上させるようになっていた。
【発明の開示】
【発明が解決しようとする課題】
【００１１】
しかしながら、上述したような従来のパネル部材４，１６においては、リブ１４は、このリブ１４の長さ方向に応力を分散させることはできるが、リブ１４の長さ方向とは異なる方向にわたって応力を分散させることはできない。このためパネル部材４，１６の平板部は、リブ１４の長さ方向が一方向のみの場合はその方向にのみしか補強ができないので、他の方向においては補強が不足するため、方向によって強度的に偏りが発生してしまうという問題があった。
【００１２】
そこで本発明は、上記問題点に鑑みて、平板部の平面に沿った複数方向のそれぞれにおける強度を向上させて、方向によって強度的に偏りが発生してしまうことを防止することができるフリーアクセスフロア用パネル部材を提供することを課題とするものである。
【課題を解決するための手段】
【００１３】
上記課題を解決するために、本発明によるフリーアクセスフロア用パネル部材は、
フリーアクセスフロアの床面を形成する平板部を備え、
前記平板部に凹状の断面形状を有して直線状に伸びるリブを形成し、
前記リブは、互いに略平行に伸びて形成される複数の第１リブと、前記第１リブと略直角の方向に伸び互いに略平行に形成される複数の第２リブにより形成されることを特徴とするものである。
【００１４】
また、本発明によるフリーアクセスフロア用パネル部材は、
前記複数の第１リブのうちのいずれか又は全部と、前記複数の第２リブのうちのいずれか又は全部が互いに突き抜けるように交差することを特徴とするものである。
【００１５】
また、本発明によるフリーアクセスフロア用パネル部材は、
前記第１リブと前記第２リブの少なくとも一方が、前記平板部の外周のどの辺とも平行でないことを特徴とするものである。
【発明の効果】
【００１６】
このような本発明に係るフリーアクセスフロア用パネル部材によれば、
フリーアクセスフロアの床面を形成する平板部を備え、
前記平板部に凹状の断面形状を有して直線状に伸びるリブを形成し、
前記リブは、互いに略平行に伸びて形成される複数の第１リブと、前記第１リブと略直角の方向に伸び互いに略平行に形成される複数の第２リブにより形成されることにより、
平板部の平面に沿った複数方向のそれぞれにおける強度を向上させて、方向によって強度的に偏りが発生してしまうことを防止することができる。
【００１７】
また、本発明のフリーアクセスフロア用パネル部材は、
前記複数の第１リブのうちのいずれか又は全部と、前記複数の第２リブのうちのいずれか又は全部が互いに突き抜けるように交差することにより、
各方向における平板部の強度をさらに向上させることができる。
【００１８】
また、本発明のフリーアクセスフロア用パネル部材は、
前記第１リブと前記第２リブの少なくとも一方が、前記平板部の外周のどの辺とも平行でないことにより、
各方向における平板部の強度をさらに向上させることができる。
【発明を実施するための最良の形態】
【００１９】
以下、本発明に係るフリーアクセスフロア用パネル部材を実施するための最良の形態について、図面に基づいて具体的に説明する。
図１及び図２は、本発明の第１の実施の形態に係るフリーアクセスフロア用パネル部材２０（以下、「パネル部材２０」という）について説明するために参照する図である。従来と同様の部分には同じ符号を用いて説明し、従来と同様の構成についての重複する説明は省略するものとする。
【００２０】
本実施の形態に係るパネル部材２０は、図１に示すように、その平板部１０に、プレス絞り加工により、この平板部１０に沿って直線状に伸び、互いに略平行に形成される２本の第１リブ２２と、この第１リブ２２と略直角の方向に伸びて、互いに略平行に形成される２本の第２リブ２４とを有している。
【００２１】
第１リブ２２のそれぞれは、略正方形である平板部１０の外周の四辺のうちの、図１中の縦辺とほぼ平行になるように配置されており、第２リブ２４のそれぞれは、図１中の横辺とほぼ平行になるように配置されている。そして、第１リブ２２と第２リブ２４は、互いに突き抜けるように交差して井桁状に配置されている。
【００２２】
また、第１リブ２２及び第２リブ２４のそれぞれは、図２に示すように、一定高さを有しており、互いの高さがほぼ等しくなるように形成されている。
【００２３】
このような本実施の形態に係るパネル部材２０によれば、平板部１０の平面に沿った複数方向のそれぞれにわたって応力を分散させることにより、各リブが伸びる方向における平板部１０の強度を向上させることができる。
【００２４】
すなわち、平板部１０に第１リブ２２と第２リブ２４の両方が形成されていることにより、この第１リブ２２と第２リブ２４のいずれか一方の長さ方向にわたって応力を分散させるだけでなく、この一方の長さ方向と直角の方向にわたっても応力が分散されるようになると共に、このように互いに直角方向に働く応力の成分の合成により、第１リブ２２又は第２リブ２４の長さ方向のいずれとも異なる斜め方向にわたっても応力が分散されるようになるので、図９に示すような、平板部１０に一方向に伸びるリブ１４のみが形成されている従来のパネル部材４よりも、平板部１０の強度を向上させることができる。
【００２５】
また、本実施の形態に係るパネル部材２０によれば、第１リブ２２と第２リブ２４が、互いに突き抜けるように交差して配置されているので、各リブが伸びる方向における平板部１０の強度をさらに向上させることができる。
【００２６】
次に、図３は、本発明の第２の実施の形態に係るパネル部材２６について説明するために参照する図である。
前記第１の実施の形態に係るパネル部材２０と同様の部分や構成についての重複する説明は省略するものとする。
【００２７】
本実施の形態に係るパネル部材２６は、前記第１の実施の形態に係るパネル部材２０の第１リブ２２及び第２リブ２４と同様の、第１リブ２８及び第２リブ３０を２本ずつ有している。第１リブ２８のそれぞれは、平板部１０の外周の縦辺に対してほぼ４５度の角度をなして伸びるように形成されており、第２リブ３０のそれぞれは、平板部１０の外周の横辺に対してほぼ４５度の角度をなして伸びるように形成されている。
【００２８】
このような本実施の形態に係るパネル部材２６によれば、前記第１の実施の形態と同様に、平板部１０の平面に沿って形成された第１リブ２８、第２リブ３０のそれぞれの長さ方向にわたって応力を分散させることにより、各方向における平板部１０の強度を向上させることができる。すなわち、図９に示すような、平板部１０に一方向に伸びるリブ１４のみが形成されている従来のパネル部材４よりも、平板部１０の強度を向上させることができる。
【００２９】
また、本実施の形態に係るパネル部材２６によれば、前記第１の実施の形態と同様に、第１リブ２８と第２リブ３０が、互いに突き抜けるように交差して配置されているので、各方向における平板部１０の強度をさらに向上させることができる。
【００３０】
また、本実施の形態に係るパネル部材２６によれば、第１リブ２８と第２リブ３０が、平板部１０の外周のどの辺とも平行になっていないので、各方向における平板部１０の強度をさらに向上させることができる。
【００３１】
次に、図４は、本発明の第３の実施の形態に係るパネル部材３２について説明するために参照する図である。
【００３２】
本実施の形態に係るパネル部材３２は、平板部１８の平面形状が略長方形となるように形成されていて、その縦辺が横辺の長さのほぼ２倍の長さを有するように形成されている。また、パネル部材３２は、その２本の第１リブ３６が、前記第１の実施の形態に係るパネル部材２０の第１リブ２２よりも、その長さ方向に長く形成されており、この第１リブ３６と直角に交差する第２リブ３８は、６本形成されている。
【００３３】
このような本実施の形態に係るパネル部材３２によれば、平板部１８の平面に沿って形成された第１リブ３６、第２リブ３８のそれぞれの長さ方向にわたって応力を分散させることにより、各方向における平板部１８の強度を向上させることができる。すなわち、図１１に示すような、平板部１８に一方向に伸びるリブ１４のみが形成されている従来のパネル部材１６よりも、平板部１８の強度を向上させることができる。
【００３４】
また、本実施の形態に係るパネル部材３２によれば、第１リブ３６と第２リブ３８が、互いに突き抜けるように交差して配置されているので、各方向における平板部１８の強度をさらに向上させることができる。
【００３５】
次に、図５は、本発明の第４の実施の形態に係るパネル部材４０について説明するために参照する図である。
【００３６】
本実施の形態に係るパネル部材４０は、平板部１８に、この平板部１８の外周の縦辺と略平行方向に伸びるように形成された４本の第１リブ４２と、横辺と略平行方向に伸びるように形成された６本の第２リブ４４を有している。
【００３７】
４本の第１リブ４２は、そのうちの２本が、平板部１８における図５中の上側の領域に形成された２本の第２リブ３８とだけ直角に交差するように互いに略平行に形成されており、他の２本が、図５中の下側の領域に形成された２本の第２リブ３８とだけ直角に交差するように互いに略平行に形成されている。
【００３８】
このような本実施の形態に係るパネル部材４０によれば、平板部１８の平面に沿って形成された第１リブ４２、第２リブ４４のそれぞれの長さ方向にわたって応力を分散させることにより、各方向における平板部１８の強度を向上させることができる。すなわち、図１１に示すような、平板部１８に一方向に伸びるリブ１４のみが形成されている従来のパネル部材１６よりも、平板部１８の強度を向上させることができる。
【００３９】
また、本実施の形態に係るパネル部材４０によれば、その平板部１８における図５中の上側及び下側の領域のそれぞれにおいて、２本の第１リブ３６と、２本の第２リブ３８とが、互いに突き抜けように交差して形成されているので、各方向における平板部１８の強度をさらに向上させることができる。
【００４０】
次に、図６は、本発明の第５の実施の形態に係るパネル部材４６について説明するために参照する図である。
【００４１】
本実施の形態に係るパネル部材４６は、平板部１８に、この平板部１８の外周の縦辺に対してほぼ４５度の角度をなして伸びるように形成される４本の第１リブ４８、及び横辺に対してほぼ４５度の角度をなして伸びるように形成される４本の第２リブ５０、並びに横辺と略平行方向に伸びるように形成された２本の第３リブ５２を有している。
【００４２】
第１リブ４８は、その４本中の２本が、平板部１８における図６中の上側の領域において、互いに略平行となるように配置されて形成されており、他の２本が、平板部１８における図６中の下側の領域において、やはり互いに略平行となるように配置されて形成されている。
【００４３】
第２リブ５０は、その４本中の２本が、平板部１８における図６中の上側の領域において、互いに略平行であって、前記２本の第１リブ４８と略直角に交差するように配置されて形成されており、他の２本が、平板部１８における図６中の下側の領域において、やはり互いに略平行であって、前記他の２本の第１リブ４８と略直角に交差するように配置されて形成されている。
【００４４】
また、２本の第３リブ５２は、平板部１８における図６中の上側の領域と下側の領域との間の中段部に、第１リブ４８や第２リブ５０とは交差しないよう配置されて形成されている。
【００４５】
このような本実施の形態に係るパネル部材４６によれば、平板部１８の平面に沿って形成された第１リブ４８、第２リブ５０のそれぞれの長さ方向にわたって応力を分散させることにより、各方向における平板部１８の強度を向上させることができる。すなわち、図１１に示すような、平板部１８に一方向に伸びるリブ１４のみが形成されている従来のパネル部材１６よりも、平板部１８の強度を向上させることができる。
【００４６】
また、本実施の形態に係るパネル部材４６によれば、第１リブ４８と第２リブ５０が、互いに突き抜けるように交差して配置されているので、各方向における平板部１８の強度をさらに向上させることができる。
【００４７】
また、本実施の形態に係るパネル部材４６によれば、第１リブ４８と第２リブ５０が、平板部１８の外周のどの辺とも平行になっていないので、各方向における平板部１８の強度をさらに向上させることができる。
【００４８】
なお、前記第１から第５の実施の形態に係るパネル部材２０，２６，３２，４０，４６においては、その平面形状が略正方形又は略長方形であったが、略正方形又は略長方形以外の形状であってもよい。
【００４９】
また、前記第１から第５の実施の形態に係るパネル部材２０，２６，３２，４０，４６においては、第１リブ２２，２８，３６，４２，４８、及び第２リブ２４，３０，３８，４４，５０は、プレス絞り加工により、その長さ方向に直角の断面が略半円形状に形成されていたが、プレス絞り加工以外の加工方法により形成されていてもよく、或いはその長さ方向に直角の断面が略半円形状以外の形状に形成されていてもよい。
【００５０】
また、前記第１から第５の実施の形態に係るパネル部材２０，２６，３２，４０，４６においては、第１リブ２２，２８，３６，４２，４８と、第２リブ２４，３０，３８，４４，５０とが、互いに交差するように配置されていたが、互いに交差しないように配置されていてもよい。
【００５１】
また、前記第１及び第２の実施の形態に係るパネル部材２０，２６においては、図１，３に示すように、第１リブ２２，２８及び第２リブ２４，３０のそれぞれが２本ずつ形成されていたが、第１リブと第２リブのいずれか一方又は両方が３本以上形成されていてもよい。また、このように第１リブと第２リブのいずれか一方又は両方が３本以上形成される場合においては、第１リブと第２リブの本数が互いに異なっていてもよい。
【００５２】
また、上記第１リブが３本以上形成されるような場合には、３本目以降の第１リブは、第２リブのいずれかと又は全部と交差するように配置されていてもよく、或いは、第２リブのいずれとも交差しないように配置されていてもよい。また、上記第２リブが３本以上形成される場合も同様に、このような３本目以降の第２リブが、第１リブのいずれかと又は全部と交差するように配置されていてもよく、或いは、第１リブのいずれとも交差しないように配置されていてもよい。
【００５３】
したがって、前記第１及び第２の実施の形態に係るパネル部材２０，２６においては、第１リブ２２，２８、及び第２リブ２４，３０は、互いに同数である２本ずつが互いに交差するよう配置されて形成されていたが、このように交差する第１リブと第２リブの本数が互いに異なっていてもよい。
【００５４】
例えば、３本の第１リブと２本の第２リブが形成されて、このような３本の第１リブと２本の第２リブとが、互いに交差するように配置されていてもよい。或いは、３本の第１リブのうちの２本だけが、２本の第２リブと互いに交差するように配置され、第１リブのうちの上記２本以外の１本が、第２リブのいずれとも交差しないように配置されていてもよい。
【００５５】
また、前記第４及び第５の実施の形態に係るパネル部材４０，４６においても、図５，６に示すように、第１リブ４２，４８、及び第２リブ４４，５０は、互いに同数である２本ずつが互いに交差するよう配置されて形成されていたが、このように交差する第１リブと第２リブの本数が互いに異なっていてもよいことはいうまでもない。
【００５６】
また、前記第１から第４の実施の形態に係るパネル部材２０，２６，３２，４０においては、平板部１０，１８が第１リブ２２，２８，３６，４２、及び第２リブ２４，３０，３８，４４を有することにより、これらのリブが２方向に伸びる場合について説明したが、このような２方向に伸びるリブとは異なる方向に伸びるリブを別に設けてもよい。
【００５７】
また、上記２方向に伸びるリブとは異なる方向に伸びる、３方向目以降のリブは、前記第５の実施の形態に係るパネル部材４６（図６参照）における第３リブ５２が、第１リブ４８及び第２リブ５０と交差しないようになっていたのと同様に、上記２方向に伸びるリブに交差しないようになっていてもよく、或いは交差するようになっていてもよい。
【図面の簡単な説明】
【００５８】
【図１】本発明の第１の実施の形態に係るフリーアクセスフロア用パネル部材２０を示す平面図である。
【図２】図１に示すフリーアクセスフロア用パネル部材２０のＡ−Ａ線断面図である。
【図３】本発明の第２の実施の形態に係るフリーアクセスフロア用パネル部材２６を示す平面図である。
【図４】本発明の第３の実施の形態に係るフリーアクセスフロア用パネル部材３２を示す平面図である。
【図５】本発明の第４の実施の形態に係るフリーアクセスフロア用パネル部材４０を示す平面図である。
【図６】本発明の第５の実施の形態に係るフリーアクセスフロア用パネル部材４６を示す平面図である。
【図７】従来のフリーアクセスフロア用パネル部材４を、水平面上の互いに直交する２方向に並べて形成したフリーアクセスフロア２の平面図である。
【図８】図７中の支持台６を示すその平面図である。
【図９】従来のフリーアクセスフロア用パネル部材４を示す平面図である。
【図１０】図９に示す従来のフリーアクセスフロア用パネル部材４のＢ−Ｂ線断面図である。
【図１１】従来のフリーアクセスフロア用パネル部材４とは異なる別の従来のフリーアクセスフロア用パネル部材１６を示す平面図である。
【符号の説明】
【００５９】
２  フリーアクセスフロア
４  フリーアクセスフロア用パネル部材
６  支持台
６ａ  上端面
８  溝部
１０  平板部
１２  側板部
１４  リブ
１６  フリーアクセスフロア用パネル部材
１８  平板部
２０  フリーアクセスフロア用パネル部材
２２  第１リブ
２４  第２リブ
２６  フリーアクセスフロア用パネル部材
２８  第１リブ
３０  第２リブ
３２  フリーアクセスフロア用パネル部材
３６  第１リブ
３８  第２リブ
４０  フリーアクセスフロア用パネル部材
４２  第１リブ
４４  第２リブ
４６  フリーアクセスフロア用パネル部材
４８  第１リブ
５０  第２リブ
５２  第３リブ
【図１】
2008223383.tif 000003
【図２】
2008223383.tif 000004
【図３】
2008223383.tif 000005
【図４】
2008223383.tif 000006
【図５】
2008223383.tif 000007
【図６】
2008223383.tif 000008
【図７】
2008223383.tif 000009
【図８】
2008223383.tif 000010
【図９】
2008223383.tif 000011
【図１０】
2008223383.tif 000012
【図１１】
2008223383.tif 000013